(57)【特許請求の範囲】
【請求項１】
プレーヤのキャラクタと対戦相手のキャラクタとが対戦を行う格闘ゲームを実行するためのゲームシステムであって、
操作手段を用いたプレーヤのゲーム操作に基づいて、前記キャラクタに前記ゲーム操作に応じた行動を行わせるゲーム演算を行うゲーム演算手段と、
前記キャラクタに行わせた行動のうち所定の行動ごとの実行回数を示す情報を記憶する履歴バッファと、
前記キャラクタに前記所定の行動を行わせた場合に、前記履歴バッファに記憶された前記所定の行動ごとの実行回数を示す情報を更新する履歴情報更新手段と、
前記履歴バッファに記憶された前記所定の行動ごとの実行回数を示す情報に基づいて、前記所定の行動ごとの実行回数が所定数以上となったか否かを判断する判断手段と、
いずれか１つの前記所定の行動の実行回数が所定数以上となったと判断された場合に、カウント値を更新するカウント値更新手段と、
前記カウント値が所定の値になった場合に、プレーヤが不適切プレイプレーヤであると認定する認定手段と、
プレーヤが不適切プレイプレーヤであると認定された場合に、プレーヤが不適切プレイプレーヤであることを示すマークを表示させる表示制御手段と、
を含むことを特徴とするゲームシステム。
【請求項２】
請求項１において、
前記表示制御手段が、
前記マークを前記不適切プレイプレーヤであると認定されたゲームに続くゲームにおいて出力させることを特徴とするゲームシステム。
【請求項３】
請求項１又は２において、
前記表示制御手段が、
前記マークをランキング画面において出力させることを特徴とするゲームシステム。
【請求項４】
請求項１乃至３のいずれかにおいて、
前記認定手段が、
前記不適切プレイプレーヤの認定を行った後に所与の取り消し条件が満たされた場合には、前記不適切プレイプレーヤの認定を取り消すことを特徴とするゲームシステム。
【請求項５】
請求項４において、
前記認定手段が、
前記カウント値が第１の判定基準を満たした場合に、プレーヤが前記不適切プレイプレーヤであると認定し、前記カウント値が前記第１の判定基準よりも厳しい第２の判定基準を満たした場合に、前記不適切プレイプレーヤの認定を取り消すことを特徴とするゲームシステム。
【請求項６】
請求項１乃至５のいずれかにおいて、
プレーヤが前記不適切プレイプレーヤであることを示す情報を他の端末に送信する通信制御部を更に含み、
前記表示制御手段が、
前記他の端末から受信した前記不適切プレイプレーヤであることを示す情報に基づいて、対応するプレーヤが不適切プレイプレーヤであることを示すマークを表示させることを特徴とするゲームシステム。
【請求項７】
プレーヤのキャラクタと対戦相手のキャラクタとが対戦を行う格闘ゲームを実行するためのゲームシステムとしてコンピュータを機能させるためのプログラムを記憶する情報記憶媒体であって、
操作手段を用いたプレーヤのゲーム操作に基づいて、前記キャラクタに前記ゲーム操作に応じた行動を行わせるゲーム演算を行うゲーム演算手段と、
前記キャラクタに行わせた行動のうち所定の行動ごとの実行回数を示す情報を記憶する履歴バッファと、
前記キャラクタに前記所定の行動を行わせた場合に、前記履歴バッファに記憶された前記所定の行動ごとの実行回数を示す情報を更新する履歴情報更新手段と、
前記履歴バッファに記憶された前記所定の行動ごとの実行回数を示す情報に基づいて、前記所定の行動ごとの実行回数が所定数以上となったか否かを判断する判断手段と、
いずれか１つの前記所定の行動の実行回数が所定数以上となったと判断された場合に、カウント値を更新するカウント値更新手段と、
前記カウント値が所定の値になった場合に、プレーヤが不適切プレイプレーヤであると認定する認定手段と、
プレーヤが不適切プレイプレーヤであると認定された場合に、プレーヤが不適切プレイプレーヤであることを示すマークを表示させる表示制御手段としてコンピュータを機能させるためのプログラムを記憶することを特徴とする情報記憶媒体。
【請求項８】
請求項７において、
前記表示制御手段が、
前記マークを前記不適切プレイプレーヤであると認定されたゲームに続くゲームにおいて出力させることを特徴とする情報記憶媒体。
【請求項９】
請求項７又は８において、
前記表示制御手段が、
前記マークをランキング画面において出力させることを特徴とする情報記憶媒体。
【請求項１０】
請求項７乃至９のいずれかにおいて、
前記認定手段が、
前記不適切プレイプレーヤの認定を行った後に所与の取り消し条件が満たされた場合には、前記不適切プレイプレーヤの認定を取り消すことを特徴とする情報記憶媒体。
【請求項１１】
請求項１０において、
前記認定手段が、
前記カウント値が第１の判定基準を満たした場合に、プレーヤが前記不適切プレイプレーヤであると認定し、前記カウント値が前記第１の判定基準よりも厳しい第２の判定基準を満たした場合に、前記不適切プレイプレーヤの認定を取り消すことを特徴とする情報記憶媒体。
【請求項１２】
請求項７乃至１１のいずれかにおいて、
プレーヤが前記不適切プレイプレーヤであることを示す情報を他の端末に送信する通信制御部としてコンピュータを機能させるプログラムを更に記憶し、
前記表示制御手段が、
前記他の端末から受信した前記不適切プレイプレーヤであることを示す情報に基づいて、対応するプレーヤが不適切プレイプレーヤであることを示すマークを表示させることを特徴とする情報記憶媒体。
【発明の詳細な説明】
【０００１】
【発明の属する技術分野】
本発明は、ゲームシステム及び情報記憶媒体に関する。
【０００２】
【背景技術及び発明が解決しようとする課題】
従来より、プレーヤが画面上のキャラクタを操作し、相手プレーヤ（又はコンピュータ）が操作するキャラクタとの対戦を楽しむ格闘ゲームと呼ばれる分野のゲームが知られている。この格闘ゲームによれば、現実世界の格闘技をリアルに仮想体験できるため、ゲームとしての人気が高い。
【０００３】
このような格闘ゲームにおいては、プレーヤは、レバーやボタンなどを用いて画面上のキャラクタを自由に動かすことができる。しかしながら、その反面、プレーヤの中には、このような操作の自由度に乗じて、禁止はされていないが不適切なプレイ（非積極プレイ、非モラルプレイ）を行うプレーヤがいる。例えば、後退や防御行動ばかりを繰り返し、積極的な行動をとらない「逃げプレイ」や、相手が行動するまで待ち、相手が行動してきたらカウンター攻撃を仕掛ける「待ちプレイ」などの、卑怯で姑息なプレイを行う。
【０００４】
このような不適切プレイを防止する１つの手法として、プレーヤのゲーム操作やキャラクタの動作に制限を加える手法が考えられる。例えば、プレーヤがキャラクタに後退動作を指示しても後退させないようにしたり、後退時のキャラクタの移動スピードを前進時に比べて遅くする手法である。
【０００５】
しかしながら、このようにゲーム操作やキャラクタの動作に制限を加える手法では、プレーヤが、ゲーム操作の不自由さや息苦しさを感じてしまい、快適なゲーム操作環境を維持できなくなってしまう。
【０００６】
本発明は、以上のような課題に鑑みてなされたものであり、その目的とするところは、プレーヤのゲーム操作の自由度を奪うことなく、プレーヤの不適切プレイを抑制できるゲームシステム及び情報記憶媒体を提供することにある。
【０００７】
【課題を解決するための手段】
上記課題を解決するために、本発明は、ゲーム画像を生成するためのゲームシステムであって、操作手段を用いたプレーヤのゲーム操作に基づいて、プレーヤがゲームをプレイするためのゲーム演算を行う手段と、禁止プレイではないが不適切なプレイであると予め定義されたプレイをプレーヤが行ったかを判定し、判定結果に基づいて、プレーヤが不適切プレイプレーヤであるか否かを認定する手段と、プレーヤが不適切プレイプレーヤであると認定された場合に、プレーヤが不適切プレイプレーヤであることを示す情報を出力する手段とを含むことを特徴とする。また本発明に係る情報記憶媒体は、コンピュータにより使用可能な情報記憶媒体であって、上記手段を実現（実行）するための情報（プログラム或いはデータ等）を含むことを特徴とする。また本発明に係るプログラムは、コンピュータにより使用可能なプログラム（搬送波に具現化されるプログラムを含む）であって、上記手段を実現（実行）するための処理ルーチンを含むことを特徴とする。
【０００８】
本発明によれば、禁止プレイではないが不適切なプレイであると予め定義（定義を動的に変化させてもよい）されたプレイをプレーヤが行ったかが判定され、判定結果（不適切プレイを行った回数、頻度、程度、或いは割合等）に基づいて、不適切プレイプレーヤの認定が行われる。そして、不適切プレイプレーヤであると認定されると、不適切プレイプレーヤであることを示す情報（マーク、絵、文字、或いは音等）が出力されるようになる。このようにすれば、そのプレーヤが不適切プレイを行ったことをそのプレーヤに認知させることができ、プレーヤのゲーム操作の自由度を奪うことなく、プレーヤの不適切プレイを抑制できるようになる。
【０００９】
また本発明に係るゲームシステム、情報記憶媒体及びプログラムは、プレーヤが非積極プレイ又は非モラルプレイを多く行った場合に、プレーヤが不適切プレイプレーヤであると認定されることを特徴とする。このようにすれば、プレーヤが非積極プレイや非モラルプレイを行って、不当にゲームを優位に進める事態を効果的に防止できるようになる。
【００１０】
また本発明に係るゲームシステム、情報記憶媒体及びプログラムは、プレーヤが同一のプレイを繰り返して行った場合に、プレーヤが不適切プレイプレーヤであると認定されることを特徴とする。このようにすれば、プレーヤが同じプレイ（技、攻撃、行動）を繰り返して、不当にゲームを優位に進める事態を防止できるようになる。
【００１１】
また本発明に係るゲームシステム、情報記憶媒体及びプログラムは、不適切プレイプレーヤであることを示す情報として、不適切プレイプレーヤであることを表すマークが表示されることを特徴とする。このようにすれば、プレーヤが不適切プレイプレーヤであることを直感的に即座にプレーヤや相手プレーヤに認知させることができるようになる。
【００１２】
また本発明に係るゲームシステム、情報記憶媒体及びプログラムは、不適切プレイプレーヤであることを示す情報が、不適切プレイプレーヤであると認定されたゲームに続くゲームにおいて出力されることを特徴とする。このようにすれば、そのプレーヤがゲームプレイしている間は、不適切プレイプレーヤであることを示す情報が常に出力されるようになるため、プレーヤが不適切プレイを行うことを更に抑制できるようになる。
【００１３】
また本発明に係るゲームシステム、情報記憶媒体及びプログラムは、不適切プレイプレーヤであることを示す情報が、ランキング画面において出力されることを特徴とする。このようにすれば、プレーヤが不適切プレイプレーヤであることを、多くの他のプレーヤに認知させることができるようになる。
【００１４】
また本発明に係るゲームシステム、情報記憶媒体及びプログラムは、不適切プレイプレーヤの認定が行われた後に所与の取り消し条件が満たされた場合には、不適切プレイプレーヤの認定が取り消されることを特徴とする。このようにすれば、不適切プレイを行ったことについて改心したプレーヤを救済できるようになる。
【００１５】
また本発明に係るゲームシステム、情報記憶媒体及びプログラムは、不適切プレイプレーヤの認定時の第１の判定基準よりも厳しい第２の判定基準により、プレーヤが不適切プレイプレーヤではないと認定された場合に、前記取り消し条件が満たされることを特徴とする。このように取り消し条件を厳しくすれば、プレーヤの更なる改心を促すことが可能になる。
【００１６】
また本発明に係るゲームシステム、情報記憶媒体及びプログラムは、不適切プレイプレーヤであることを示す情報が、ホスト装置を介して他の端末に出力されることを特徴とする。このようにすれば、プレーヤが不適切プレイプレーヤであることを、より多くの他のプレーヤに認知させることができるようになる。なお、プレーヤが不適切プレイプレーヤと認定された場合に、その認定結果を、ホスト装置の記憶手段に登録しておくことが望ましい。
【００１７】
また本発明は、ゲーム画像を生成するためのゲームシステムであって、操作手段を用いたプレーヤのゲーム操作に基づいて、プレーヤがゲームをプレイするためのゲーム演算を行う手段と、非積極プレイ又は非モラルプレイをプレーヤが行ったかを判定し、判定結果に基づいて、プレーヤが非積極プレイプレーヤ又は非モラルプレイプレーヤであるか否かを認定する手段と、プレーヤが非積極プレイプレーヤ又は非モラルプレイプレーヤであると認定された場合に、プレーヤが非積極プレイプレーヤ又は非モラルプレイプレーヤであることを示す情報を出力する手段とを含むことを特徴とする。また本発明に係る情報記憶媒体は、コンピュータにより使用可能な情報記憶媒体であって、上記手段を実現（実行）するための情報（プログラム或いはデータ等）を含むことを特徴とする。また本発明に係るプログラムは、コンピュータにより使用可能なプログラム（搬送波に具現化されるプログラムを含む）であって、上記手段を実現（実行）するための処理ルーチンを含むことを特徴とする。
【００１８】
本発明によれば、非積極プレイ（逃げ、後退、守備プレイ）又は非モラルプレイ（卑怯、姑息プレイ）を行ったプレーヤが、非積極プレイプレーヤ又は非モラルプレイプレーヤと認定され、非積極プレイプレーヤ又は非モラルプレイプレーヤであることを示す情報が出力されるようになる。このようにすれば、非積極プレイ又は非モラルプレイを行ったことをプレーヤに認知させることができ、プレーヤのゲーム操作の自由度を奪うことなく、積極プレイ或いはモラルのあるプレイを行うことをプレーヤに促すことができるようになる。
【００１９】
【発明の実施の形態】
以下、本発明の好適な実施形態について図面を用いて説明する。なお以下では、本発明を格闘ゲームに適用した場合を例にとり説明するが、本発明はこれに限定されず、種々のゲームに適用できる。
【００２０】
１．構成
図１に、本実施形態のブロック図の一例を示す。なお同図において本実施形態は、少なくとも処理部１００を含めばよく（或いは処理部１００と記憶部１４０、或いは処理部１００と記憶部１４０と情報記憶媒体１５０を含めばよく）、それ以外のブロック（例えば操作部１３０、画像生成部１６０、表示部１６２、音生成部１７０、音出力部１７２、通信部１７４、Ｉ／Ｆ部１７６、メモリーカード１８０等）については、任意の構成要素とすることができる。
【００２１】
ここで処理部１００は、システム全体の制御、システム内の各ブロックへの命令の指示、ゲーム演算などの各種の処理を行うものであり、その機能は、ＣＰＵ（ＣＩＳＣ型、ＲＩＳＣ型）、ＤＳＰ、或いはＡＳＩＣ（ゲートアレイ等）などのハードウェアや、所与のプログラム（ゲームプログラム）により実現できる。
【００２２】
操作部１３０は、プレーヤが操作データを入力するためのものであり、その機能は、レバー、ボタン、十字キー、筺体などのハードウェアにより実現できる。
【００２３】
記憶部１４０は、処理部１００、画像生成部１６０、音生成部１７０、通信部１７４、Ｉ／Ｆ部１７６などのワーク領域となるもので、その機能はＲＡＭなどのハードウェアにより実現できる。
【００２４】
情報記憶媒体（コンピュータにより使用可能な記憶媒体）１５０は、プログラムやデータなどの情報を格納するものであり、その機能は、光ディスク（ＣＤ、ＤＶＤ）、光磁気ディスク（ＭＯ）、磁気ディスク、ハードディスク、磁気テープ、或いは半導体メモリ（ＲＯＭ）などのハードウェアにより実現できる。処理部１００は、この情報記憶媒体１５０に格納される情報に基づいて本発明（本実施形態）の種々の処理を行う。即ち情報記憶媒体１５０には、本発明（本実施形態）の手段（特に処理部１００に含まれるブロック）を実現（実行）するための種々の情報（プログラム、データ）が格納される。
【００２５】
なお、情報記憶媒体１５０に格納される情報の一部又は全部は、システムへの電源投入時等に記憶部１４０に転送されることになる。また情報記憶媒体１５０に記憶される情報は、本発明の処理を行うためのプログラムコード、画像情報、音情報、表示物の形状情報、テーブルデータ、リストデータ、プレーヤ情報や、本発明の処理を指示するための情報、その指示に従って処理を行うための情報等の少なくとも１つを含むものである。
【００２６】
画像生成部１６０は、処理部１００からの指示等にしたがって、各種の画像を生成し表示部１６２に出力するものであり、その機能は、画像生成用ＡＳＩＣ、ＣＰＵ、或いはＤＳＰなどのハードウェアや、所与のプログラム（画像生成プログラム）、画像情報により実現できる。
【００２７】
音生成部１７０は、処理部１００からの指示等にしたがって、各種の音を生成し音出力部１７２に出力するものであり、その機能は、音生成用ＡＳＩＣ、ＣＰＵ、或いはＤＳＰなどのハードウェアや、所与のプログラム（音生成プログラム）、音情報（波形データ等）により実現できる。
【００２８】
通信部１７４は、外部装置（例えばホスト装置や他のゲームシステム）との間で通信を行うための各種の制御を行うものであり、その機能は、通信用ＡＳＩＣ、或いはＣＰＵなどのハードウェアや、所与のプログラム（通信プログラム）により実現できる。
【００２９】
なお本発明（本実施形態）の処理を実現するための情報は、ホスト装置（サーバー）が有する情報記憶媒体からネットワーク及び通信部１７４を介して情報記憶媒体１５０に配信するようにしてもよい。このようなホスト装置（サーバー）の情報記憶媒体の使用も本発明の範囲内に含まれる。
【００３０】
また処理部１００の機能の一部又は全部を、画像生成部１６０、音生成部１７０、又は通信部１７４の機能により実現するようにしてもよい。或いは、画像生成部１６０、音生成部１７０、又は通信部１７４の機能の一部又は全部を、処理部１００の機能により実現するようにしてもよい。
【００３１】
Ｉ／Ｆ部１７６は、処理部１００からの指示等にしたがってメモリーカード（広義には、携帯型ゲーム機などを含む携帯型情報記憶装置）１８０との間で情報交換を行うためのインターフェースとなるものであり、その機能は、メモリーカードを挿入するためのスロットや、データ書き込み・読み出し用コントローラＩＣなどにより実現できる。なお、メモリーカード１８０との間の情報交換を赤外線などの無線を用いて実現する場合には、Ｉ／Ｆ部１７６の機能は、半導体レーザ、赤外線センサーなどのハードウェアにより実現できる。
【００３２】
処理部１００は、ゲーム演算部１１０を含む。
【００３３】
ここでゲーム演算部１１０は、操作部１３０を用いたプレーヤのゲーム操作に基づいて、プレーヤがゲームをプレイするためのゲーム演算処理を行うものである。より具体的には、ゲーム演算部１１０は、コイン（代価）の受け付け処理、各種モードの設定処理、ゲームの進行処理、選択画面の設定処理、オブジェクト（キャラクタ、移動体）の位置や角度（軸回り回転角度）を決める処理、視点位置や視線角度（視線方向）を決める処理、オブジェクトのモーションを再生する処理、オブジェクト空間へオブジェクトを配置する処理、ヒットチェック処理、ゲーム成果（ゲーム結果、ゲーム成績）を演算する処理、複数のプレーヤが共通のゲーム空間でプレイするための処理、或いはゲームオーバー処理などの種々のゲーム演算処理を、操作部１３０からの操作データ、メモリーカード１８０からのデータ、ゲームプログラムなどに基づいて行う。
【００３４】
ゲーム演算部１１０は、不適切プレイ判定部１１２、情報出力処理部１１８を含む。
【００３５】
ここで不適切プレイ判定部１１２は、禁止プレイではないが不適切なプレイであると予め定義されたプレイ（非積極プレイ、非モラルプレイ等）をプレーヤが行ったかを、例えばプレーヤのゲーム操作（操作部からの操作データ）などに基づき判定する処理を行う。そして、不適切プレイ判定部１１２が含む認定部１１４は、この判定結果に基づいて、プレーヤが不適切なプレイを行うプレーヤ（以下、不適切プレイプレーヤと呼ぶ）であるか否かを認定する処理を行う。また、不適切プレイ判定部１１２が含む認定取り消し部１１６は、不適切プレイプレーヤの認定が行われた後に取り消し条件が満たされた場合に、不適切プレイプレーヤの認定を取り消す処理を行う。
【００３６】
より具体的には、プレーヤが非積極プレイ（後退、ガード等）又は非モラルプレイ（カウンター攻撃等）を多く行った場合や、プレーヤが同一のプレイ（同一の技、行動）を繰り返して行った場合に、そのプレーヤは不適切プレイプレーヤであると認定されるようになる。
【００３７】
情報出力部１１８は、プレーヤが不適切プレイプレーヤであると認定された場合に、プレーヤが不適切プレイプレーヤであることを示す情報（絵や文字などの画像、或いは音等）を出力するための処理を行う。より具体的には、不適切プレイプレーヤであると認定されたゲームやそれに続くゲーム、或いはランキング画面などにおいて、上記情報を出力するようにする。
【００３８】
このような情報を出力すれば、プレーヤのプレイが不適切プレイであることをプレーヤに認知させることができると共に、プレーヤの不適切プレイが抑制されることを期待できるようになる。
【００３９】
なお、本実施形態のゲームシステムでは、１人のプレーヤがゲームをプレイするシングルプレーヤモードによるプレイと、複数のプレーヤがゲームをプレイするマルチプレーヤモードによるプレイの両方が可能になっている。
【００４０】
また複数のプレーヤがゲームをプレイする場合に、これらの複数のプレーヤに提供するゲーム画像やゲーム音を、１つの端末を用いて生成してもよいし、ネットワーク（伝送ライン、通信回線）などで接続された複数の端末を用いて生成してもよい。
【００４１】
２．本実施形態の特徴
さて、本実施形態では、プレーヤが非積極プレイ、非モラルプレイ（卑怯、姑息プレイ）を行った場合に、そのプレーヤをチキンプレーヤ（不適切プレイプレーヤ）と認定する。そして、そのプレーヤに関連づけてチキンマーク（不適切プレイプレーヤであることを示すマーク）を表示するようにしている。
【００４２】
例えば、図２（Ａ）では、プレーヤ（１Ｐ）がレバー３０を連続して２回左に倒して、キャラクタ２０に後退ダッシュ動作を行わせている。このような後退ダッシュ動作が行われると、ゲームシステムに設けられたチキンカウンタのチキンカウント値がインクリメントされる。
【００４３】
そして、図２（Ｂ）に示すように、ゲーム（試合）終了時においてチキンカウント値が所与の認定規定値以上になると、そのプレーヤ（１Ｐ）はチキンプレーヤであると認定され、そのプレーヤに関連づけてチキンマーク４０が表示される。そして、図２（Ｃ）に示すように、このチキンマーク４０は、次のゲームにおいても表示されるようになる。従って、次のゲームに乱入してきた相手プレーヤ（２Ｐ）は、このチキンマーク４０を見ることで、前回のゲームを勝ち抜いたプレーヤ（１Ｐ）がチキンプレーヤであることを知ることができる。
【００４４】
即ち、キャラクタを後退させるというような非積極プレイが頻繁に行われると、相手の戦意を減退させてしまい、プレーヤ間の白熱した対戦ゲームを実現できなくなる。また、後退時にはキャラクタは、相手キャラクタの攻撃をガードする姿勢をとる。従って、相手キャラクタの攻撃がなかなかヒットしなくなり、非積極的なプレイを行うプレーヤが不当にゲームを優位に進めることができるようになってしまう。
【００４５】
一方、このような非積極プレイを防止する１つの手法として、キャラクタの後退動作を禁止したり制限する手法も考えることができる。しかしながら、この手法によると、プレーヤの操作の自由度が奪われてしまい、快適なゲーム操作環境を維持できなくなる。
【００４６】
そこで本実施形態では、このような非積極プレイをプレーヤが頻繁に行った場合に、そのプレーヤをチキンプレーヤと認定し、図２（Ｂ）、（Ｃ）に示すようなチキンマーク４０を表示している。このようにすれば、プレーヤが非積極プレイを再度行うことを効果的に抑制できるようになる。この結果、プレーヤが積極的にプレイするようになり、白熱した対戦ゲームを期待できるようになる。
【００４７】
また図３（Ａ）では、相手キャラクタ２２が攻撃してきた時に、プレーヤ（１Ｐ）は、レバー３０を手前に倒してキャラクタ２０をしゃがませ、相手の攻撃をよけている。そして、その後、図３（Ｂ）に示すように、動きの速い右パンチを繰り出すボタン３２を押して、相手キャラクタ２２にカウンター攻撃をヒットさせている。
【００４８】
このカウンター攻撃のような非モラルプレイ（卑怯、姑息プレイ）が頻繁に行われると、非モラルなプレイを行うプレーヤが不当にゲームを優位に進めることができるようになり、対戦ゲームの面白味が薄れてしまう。
【００４９】
そこで、本実施形態では、このようなカウンタ攻撃が行われた場合に、チキンカウント値をインクリメントする。そして、チキンカウント値が所与の認定規定値を超えたならば、プレーヤをチキンプレーヤと認定し、図２（Ｂ）、（Ｃ）と同様にチキンマーク４０を表示する。このようにすることで、プレーヤが非モラルなプレイを再度行うことを防止でき、正々堂々と勝負が行われる公平な対戦ゲームを実現できるようになる。
【００５０】
また図４では、プレーヤ（１Ｐ）が同じ技１を何度も何度も繰り返している。
【００５１】
相手プレーヤ（２Ｐ）が上級プレーヤであれば、このように同じ技（同じプレイ）が繰り返されても、これを容易に回避できるため問題はない。しかしながら、相手プレーヤ（２Ｐ）が初級又は中級プレーヤである場合には、このような同じ技の繰り返しが通用してしまい、プレーヤ（１Ｐ）がゲームを不当に優位に進めることができるようになってしまう。特に、いわゆる必殺技と呼ばれるような特殊技が頻繁に繰り返されると、そのよけ方を知らない初級又は中級プレーヤは全く歯がたたなくなる。
【００５２】
そこで、本実施形態では、同じ技（通常の技、特殊技）が、短期間に頻繁に繰り返された場合には、チキンカウント値をインクリメントする。そして、チキンカウント値が所与の認定規定値を超えたならば、プレーヤをチキンプレーヤと認定し、図２（Ｂ）、（Ｃ）と同様にチキンマーク４０を表示する。このようにすることで、プレーヤが同じ技を頻繁に繰り返すという事態を防止できるようになる。従って、初級又は中級プレーヤ間の対戦において同じ技だけを繰り返すプレーヤだけが不当に勝利してしまうという事態を効果的に防止できるようになり、様々な技が繰り出される面白味のある格闘対戦ゲームを実現できるようになる。
【００５３】
なお、本実施形態では、チキンプレーヤ（不適切プレイプレーヤ）であることを示す情報として、図５（Ａ）に示すようなチキンマーク４０（チキンプレーヤであることを表すマーク）を用いている。このような、チキンマーク４０を用いれば、そのプレーヤがチキンプレーヤであることを、相手のプレーヤは直感的に即座に認識できるようになる。また、チキンマーク４０は、その大きさを小さくして表示しても問題ないため、チキンマーク４０の表示が、他の画像の表示の邪魔になることもない。
【００５４】
しかしながら、チキンプレーヤであることを示す情報には、チキンマーク４０以外にも、種々のものを考えることができる。例えば、チキンマーク４０の代わりに、そのプレーヤがチキンプレーヤであることを記した文字を表示するようにしてもよい。或いは、図５（Ｂ）に示すように、チキンプレーヤであることを音声で知らせるようにしてもよい。
【００５５】
さて、本実施形態では、チキンマークを、チキンプレーヤと認定されたゲームのみならず、そのゲームに続くゲームにおいても表示している。
【００５６】
例えば図６（Ａ）に示すように、ゲーム１においてプレーヤがチキンプレーヤであると認定されたとする。そして、プレーヤがゲーム１を勝ち抜いた場合又はプレーヤがコインを投入してコンティニュープレイを選択した場合には、次のゲーム２においてもチキンマークを表示する。また、プレーヤがゲーム２を勝ち抜いた場合又はプレーヤがコンティニュープレイを選択した場合には、更に次のゲーム３でもチキンマークが表示される。
【００５７】
このように、チキンプレーヤと認定されたゲームに続くゲームにおいてもチキンマークを表示するようにすれば、それ以降に乱入してきた相手プレーヤに対しても、そのプレーヤがチキンプレーヤであることを知らせることができるようになる。従って、相手プレーヤは、そのプレーヤがチキンプレーヤであることを十分考慮して戦略を立てられるようになる。また、チキンプレーヤであると一度認定されると、どんなに勝ち続けてもチキンマークがついて回るようになるため、チキンプレイ（不適切プレイ）を行わないことの効果的な動機づけをプレーヤに与えることができる。
【００５８】
また本実施形態では、図６（Ｂ）に示すようにランキング画面（ハイスコア画面）においてもチキンマーク４０を表示するようにしている。即ち、チキンプレーヤのゲーム成績（例えば連勝数）が高く、ランクインされた場合には、そのプレーヤの名前やゲーム成績（連勝数）と共にチキンマーク４０を表示する。
【００５９】
このようにすれば、チキンプレイでランクインされたプレーヤと、正当なプレイでランクインされたプレーヤとを区別できるようになる。そして、非積極的なプレイや非モラルなプレイを多用してランクインを目指すプレーヤの出現を、効果的に抑制できるようになる。
【００６０】
或いは、プレーヤの中には、チキンプレイを故意に行い、他のプレーヤに嫌われることを楽しんでいるような確信犯もいる。このようなプレーヤにとっては、図６（Ｂ）の表示は、自身がチキンプレーヤであることを他のプレーヤに認知させる有効な手段となる。
【００６１】
さて、本実施形態では、あるゲームでチキンプレーヤであると認定されると、それに続くゲームにおいてもチキンマークが常について回るようになる。
【００６２】
しかしながら、プレーヤの中には無意識でチキンプレイを行ってしまったプレーヤや、チキンプレイを行ったことを後悔しているプレーヤもいると考えられる。
【００６３】
そこで、このようなプレーヤを救済するために本実施形態では、チキンプレーヤの認定が行われた場合にも、所与の取り消し条件が満たされた場合には、チキンプレーヤの認定を取り消すようにしている。即ち、チキンプレイを行ったプレーヤが、その後に改心してチキンプレイを行わなくなった場合には、チキンプレーヤの認定を取り消す。
【００６４】
例えば、チキンプレーヤの認定規定値ＡＶ（第１の判定基準）は図７（Ａ）に示すようになっている。即ち、チキンカウント値がこの認定規定値ＡＶ以上になると、そのプレーヤはチキンプレーヤと認定される。
【００６５】
一方、チキンプレーヤの認定の取り消し規定値ＣＶ（第２の判定基準）は図７（Ｂ）に示すようになっている。即ち、一度チキンプレーヤに認定された場合には、チキンカウント値がこの取り消し規定値ＣＶよりも小さくなった場合に限り、チキンプレーヤの認定が取り消される。
【００６６】
図７（Ａ）、（Ｂ）を比較すればわかるように、取り消し規定値ＣＶは認定規定値ＡＶよりも小さい値に設定されている。即ち、チキンプレーヤの認定時の第１の判定基準よりも取り消し時の第２の判定基準の方が厳しくなっており、チキンプレーヤの認定の取り消し条件は厳しくなっている。そして、このように認定の取り消し条件を厳しくすれば、プレーヤの更なる改心を促すことが可能になり、プレーヤが再度チキンプレイを行う事態を効果的に抑制できるようになる。
【００６７】
なお、ゲームシステムの構成が図８（Ａ）に示すような構成になっている場合には、図８（Ｂ）に示すように、チキンマーク４０を、ホスト装置を介して他の端末に出力することが望ましい。このようにすれば、チキンプレーヤが再度チキンプレイを行うことを、更に効果的に抑制できるようになる。また、プレーヤの中には、チキンプレイを故意に行うような確信犯的なプレーヤもおり、このようなプレーヤにとっては、図８（Ｂ）に示すような表示は、自身がチキンプレーヤであることを他のプレーヤに認知させる有効な手段となる。
【００６８】
３．本実施形態の処理
次に、本実施形態の詳細な詳細例について、図９、図１０、図１１のフローチャートを用いて説明する。
【００６９】
ゲーム（試合）が開始すると（ステップＳ１）、まず、プレーヤがチキンプレーヤか否かを判断し（ステップＳ２）、チキンプレーヤである場合にはチキンマークを表示する（ステップＳ３）。
【００７０】
次に、チキンフラグカウンタのチキンフラグカウント値、チキンリピートカウンタのチキンリピートカウント値をリセットする（ステップＳ４）。
【００７１】
次に、キャラクタが動作（後退動作、攻撃動作等）を行ったか否かを判断し（ステップＳ５）、動作を行った場合には、チキンフラグＦＬ１が１にセットされているか否かを判断する（図１０のステップＳ７）。ここで、チキンフラグＦＬ１は、例えば図３（Ａ）、（Ｂ）のようなカウンター攻撃をキャラクタが行った場合に１にセットされる。そして、チキンフラグＦＬ１が１にセットされている場合には、チキンフラグカウント値に１をプラスする（ステップＳ８）。
【００７２】
次に、チキンフラグＦＬ２が１にセットされているか否かを判断する（ステップＳ９）。ここで、チキンフラグＦＬ２は、例えば図２（Ａ）のような後退ダッシュをキャラクタが行った場合に１にセットされる。そして、チキンフラグＦＬ２が１にセットされている場合には、チキンフラグカウント値に２をプラスする（ステップＳ１０）。即ち、後退ダッシュは、カウンター攻撃よりも更に不適切（卑怯、姑息）なプレイであるとされているからである。
【００７３】
次に、キャラクタが技を繰り出したか否かを判断し（ステップＳ１１）、技を繰り出した場合には、その技を、図１２に示すような履歴バッファに登録する（ステップＳ１２）。そして、履歴バッファの中に同じ技が規定数以上登録されているか否かを判断し（ステップＳ１３）、登録されていた場合には、チキンリピートカウント値に１をプラスする（ステップＳ１４）。履歴バッファには例えば、２０個の技の登録が可能になっており、この履歴バッファの中に同じ技が例えば３個以上登録されていた場合には、チキンリピートカウント値に１がプラスされる。このようにすることで、図４に示すような同じ技の繰り返しというチキンプレイを防止できるようになる。
【００７４】
以上のステップＳ７〜Ｓ１４の処理が終了すると、図９のステップＳ５に戻り、キャラクタが動作を行ったか否かが再度判断される。
【００７５】
次に、ゲームが終了したか否かが判断され（ステップＳ６）、終了した場合には、プレーヤがチキンプレーヤか否かが判断される（図１１のステップＳ１５）。そして、チキンプレーヤである場合には、図７（Ａ）で説明したように、チキンフラグカウント値が認定規定値以上か否かを判断し（ステップＳ１６）、認定規定値以上の場合には、プレーヤをチキンプレーヤと認定して登録する（ステップＳ１８）。一方、チキンフラグカウント値が認定規定値よりも小さい場合には、今度は、チキンリピートカウント値が認定規定値以上か否かを判断し（ステップＳ１７）、認定規定値以上の場合には、プレーヤをチキンプレーヤと認定して登録する（ステップＳ１８）。
【００７６】
プレーヤがチキンプレーヤである場合には、図７（Ｂ）で説明したように、チキンフラグカウント値が取り消し規定値よりも小さいか否かを判断し（ステップＳ１９）、取り消し規定値よりも小さい場合には、チキンプレーヤの認定を取り消す（ステップＳ２１）。一方、チキンフラグカウント値が取り消し規定値以上の場合には、今度は、チキンリピートカウント値が取り消し規定値よりも小さいか否かを判断し（ステップＳ２０）、取り消し規定値よりも小さい場合には、チキンプレーヤの認定を取り消す（ステップＳ２１）。
【００７７】
次に、プレーヤがチキンプレーヤと認定されていた場合には、図２（Ｂ）に示すようにチキンマークを表示する（ステップＳ２２）。
【００７８】
次に、ゲームオーバーか否かを判断し（ステップＳ２３）、ゲームオーバーでない場合（勝ち抜いた場合、コンティニュープレイの場合）には、図９のステップＳ１に戻る。一方、ゲームオーバーの場合には、プレーヤのゲーム成績（連勝数）がランクインしたか否かを判断する（ステップＳ２４）。そして、プレーヤのゲーム成績（連勝数）がランクインしており、プレーヤがチキンプレーヤと認定されている場合には、図６（Ｂ）に示すように、ランキング画面にチキンマークを表示する（ステップＳ２５）。
【００７９】
４．ハードウェア構成
次に、本実施形態を実現できるハードウェアの構成の一例について図１３を用いて説明する。同図に示すシステムでは、ＣＰＵ１０００、ＲＯＭ１００２、ＲＡＭ１００４、情報記憶媒体１００６、音生成ＩＣ１００８、画像生成ＩＣ１０１０、Ｉ／Ｏポート１０１２、１０１４が、システムバス１０１６により相互にデータ送受信可能に接続されている。そして前記画像生成ＩＣ１０１０にはディスプレイ１０１８が接続され、音生成ＩＣ１００８にはスピーカ１０２０が接続され、Ｉ／Ｏポート１０１２にはコントロール装置１０２２が接続され、Ｉ／Ｏポート１０１４には通信装置１０２４が接続されている。
【００８０】
情報記憶媒体１００６は、プログラム、表示物を表現するための画像データ、音データ等が主に格納されるものである。例えば家庭用ゲームシステムではゲームプログラム等を格納する情報記憶媒体としてＤＶＤ、ゲームカセット、ＣＤＲＯＭ等が用いられる。また業務用ゲームシステムではＲＯＭ等のメモリが用いられ、この場合には情報記憶媒体１００６はＲＯＭ１００２になる。
【００８１】
コントロール装置１０２２はゲームコントローラ、操作パネル等に相当するものであり、プレーヤがゲーム進行に応じて行う判断の結果をシステム本体に入力するための装置である。
【００８２】
情報記憶媒体１００６に格納されるプログラム、ＲＯＭ１００２に格納されるシステムプログラム（システム本体の初期化情報等）、コントロール装置１０２２によって入力される信号等に従って、ＣＰＵ１０００はシステム全体の制御や各種データ処理を行う。ＲＡＭ１００４はこのＣＰＵ１０００の作業領域等として用いられる記憶手段であり、情報記憶媒体１００６やＲＯＭ１００２の所与の内容、あるいはＣＰＵ１０００の演算結果等が格納される。また本実施形態を実現するための論理的な構成を持つデータ構造は、このＲＡＭ又は情報記憶媒体上に構築されることになる。
【００８３】
更に、この種のシステムには音生成ＩＣ１００８と画像生成ＩＣ１０１０とが設けられていてゲーム音やゲーム画像の好適な出力が行えるようになっている。音生成ＩＣ１００８は情報記憶媒体１００６やＲＯＭ１００２に記憶される情報に基づいて効果音やバックグラウンド音楽等のゲーム音を生成する集積回路であり、生成されたゲーム音はスピーカ１０２０によって出力される。また、画像生成ＩＣ１０１０は、ＲＡＭ１００４、ＲＯＭ１００２、情報記憶媒体１００６等から送られる画像情報に基づいてディスプレイ１０１８に出力するための画素情報を生成する集積回路である。なおディスプレイ１０１８として、いわゆるヘッドマウントディスプレイ（ＨＭＤ）と呼ばれるものを使用することもできる。
【００８４】
また、通信装置１０２４はゲームシステム内部で利用される各種の情報を外部とやりとりするものであり、他のゲームシステムと接続されてゲームプログラムに応じた所与の情報を送受したり、通信回線を介してゲームプログラム等の情報を送受することなどに利用される。
【００８５】
そして図１〜図１２で説明した種々の処理は、プログラムやデータなどの情報を格納した情報記憶媒体１００６、この情報記憶媒体１００６からの情報等に基づいて動作するＣＰＵ１０００、画像生成ＩＣ１０１０或いは音生成ＩＣ１００８等によって実現される。なお画像生成ＩＣ１０１０、音生成ＩＣ１００８等で行われる処理は、ＣＰＵ１０００あるいは汎用のＤＳＰ等によりソフトウェア的に行ってもよい。
【００８６】
図１４（Ａ）に、本実施形態を業務用ゲームシステムに適用した場合の例を示す。プレーヤは、ディスプレイ１１００上に映し出されたゲーム画像を見ながら、レバー１１０２、ボタン１１０４等を操作してゲームを楽しむ。内蔵されるシステムボード（サーキットボード）１１０６には、ＣＰＵ、画像生成ＩＣ、音生成ＩＣ等が実装される。そして、本実施形態の処理（本発明の手段）を実行（実現）するための情報は、システムボード１１０６上の情報記憶媒体である半導体メモリ１１０８に格納される。以下、この情報を格納情報と呼ぶ。
【００８７】
図１４（Ｂ）に、本実施形態を家庭用のゲームシステムに適用した場合の例を示す。プレーヤはディスプレイ１２００に映し出されたゲーム画像を見ながら、ゲームコントローラ１２０２、１２０４を操作してゲームを楽しむ。この場合、上記格納情報は、本体システムに着脱自在な情報記憶媒体であるＤＶＤ１２０６、メモリーカード１２０８、１２０９等に格納されている。
【００８８】
図１４（Ｃ）に、ホスト装置１３００と、このホスト装置１３００と通信回線（ＬＡＮのような小規模ネットワークや、インターネットのような広域ネットワーク）１３０２を介して接続される端末１３０４-1〜１３０４-nとを含むゲームシステムに本実施形態を適用した場合の例を示す。この場合、上記格納情報は、例えばホスト装置１３００が制御可能な磁気ディスク装置、磁気テープ装置、半導体メモリ等の情報記憶媒体１３０６に格納されている。端末１３０４-1〜１３０４-nが、ＣＰＵ、画像生成ＩＣ、音処理ＩＣを有し、スタンドアロンでゲーム画像、ゲーム音を生成できるものである場合には、ホスト装置１３００からは、ゲーム画像、ゲーム音を生成するためのゲームプログラム等が端末１３０４-1〜１３０４-nに配送される。一方、スタンドアロンで生成できない場合には、ホスト装置１３００がゲーム画像、ゲーム音を生成し、これを端末１３０４-1〜１３０４-nに伝送し端末において出力することになる。
【００８９】
なお、図１４（Ｃ）の構成の場合に、本発明の処理を、ホスト装置（サーバー）と端末とで分散して処理するようにしてもよい。また、本発明を実現するための上記格納情報を、ホスト装置（サーバー）の情報記憶媒体と端末の情報記憶媒体に分散して格納するようにしてもよい。
【００９０】
また通信回線に接続する端末は、家庭用ゲームシステムであってもよいし業務用ゲームシステムであってもよい。そして、業務用ゲームシステムを通信回線に接続する場合には、業務用ゲームシステムとの間で情報のやり取りが可能であると共に家庭用ゲームシステムとの間でも情報のやり取りが可能な携帯型情報記憶装置（メモリーカード、携帯型ゲーム機）を用いることが望ましい。
【００９１】
なお本発明は、上記実施形態で説明したものに限らず、種々の変形実施が可能である。
【００９２】
例えば、本発明のうち従属請求項に係る発明においては、従属先の請求項の構成要件の一部を省略する構成とすることもできる。また、本発明の１の独立請求項に係る発明の要部を、他の独立請求項に従属させることもできる。
【００９３】
また、本発明における不適切プレイは、図２（Ａ）〜図４で説明したようなプレイには限定されず、少なくとも、禁止プレイではないが不適切なプレイであると予め定義（定義を動的に変化させてもよい）されているプレイであればよい。
【００９４】
また、不適切プレイプレーヤであることを示す情報は、チキンマークのようなマークであることが特に望ましいが、これに限定されるものではない。
【００９５】
また、不適切プレイプレーヤの認定手法も、図２（Ａ）〜図４で説明した手法に限定されず、種々の変形実施が可能である。
【００９６】
また、本実施形態では、不適切プレイを行ったプレーヤか否かの判定（チキンプレーヤか否かの判定）を、ゲームの終了後に行ったが、この判定をゲーム中にリアルタイムに行って、不適切プレーヤであるこを示す情報（チキンマーク）をゲーム中にリアルタイムに表示するようにしてもよい。
【００９７】
また本発明は格闘ゲーム以外にも種々のゲーム（スポーツゲーム、車ゲーム、フライトシミュレーションゲーム、シューティングゲーム、競争ゲーム、ロボット対戦ゲーム、ロールプレイングゲーム、音楽演奏ゲーム、ダンスゲーム等）に適用できる。
【００９８】
また本発明は、業務用ゲームシステム、家庭用ゲームシステム、多数のプレーヤが参加する大型アトラクションシステム、シミュレータ、マルチメディア端末、ゲーム画像を生成するシステムボード等の種々のゲームシステムに適用できる。
【図面の簡単な説明】
【図１】本実施形態のゲームシステムのブロック図の例である。
【図２】図２（Ａ）、（Ｂ）、（Ｃ）は、チキンプレーヤの認定手法やチキンマークの表示手法について説明するための図である。
【図３】図３（Ａ）、（Ｂ）は、プレーヤがカウンター攻撃を行った場合にチキンプレイと判定する手法について説明するための図である。
【図４】プレーヤが同じ技を繰り返した場合にチキンプレイと判定する手法について説明するための図である。
【図５】図５（Ａ）、（Ｂ）は、チキンプレーヤであることを示す情報の種々の出力形態について説明するための図である。
【図６】図６（Ａ）、（Ｂ）は、チキンマークの表示手法について説明するための図である。
【図７】図７（Ａ）、（Ｂ）は、チキンプレーヤの認定の取り消し手法について説明するための図である。
【図８】図８（Ａ）、（Ｂ）は、ゲームシステムが端末とホスト装置により構成される場合のチキンマークの表示手法について説明するための図である。
【図９】本実施形態の処理の詳細例について示すフローチャートである。
【図１０】本実施形態の処理の詳細例について示すフローチャートである。
【図１１】本実施形態の処理の詳細例について示すフローチャートである。
【図１２】履歴バッファについて説明するための図である。
【図１３】本実施形態を実現できるハードウェアの構成の一例を示す図である。
【図１４】図１４（Ａ）、（Ｂ）、（Ｃ）は、本実施形態が適用される種々の形態のシステムの例を示す図である。
【符号の説明】
２０    キャラクタ
２２    相手キャラクタ
３０    レバー
３２    ボタン
４０    チキンマーク
１００  処理部
１１０  ゲーム演算部
１１２  不適切プレイ判定部
１１４  認定部
１１６  認定取り消し部
１１８  情報出力処理部
１３０  操作部
１４０  記憶部
１５０  情報記憶媒体
１６０  画像生成部
１６２  表示部
１７０  音生成部
１７２  音出力部
１７４  通信部
１７６  Ｉ／Ｆ部
１８０  メモリーカード
【図１】
0003990074.tif 000002
【図２】
0003990074.tif 000003
【図３】
0003990074.tif 000004
【図４】
0003990074.tif 000005
【図５】
0003990074.tif 000006
【図６】
0003990074.tif 000007
【図７】
0003990074.tif 000008
【図８】
0003990074.tif 000009
【図９】
0003990074.tif 000010
【図１０】
0003990074.tif 000011
【図１１】
0003990074.tif 000012
【図１２】
0003990074.tif 000013
【図１３】
0003990074.tif 000014
【図１４】
0003990074.tif 000015